(57)【要約】【課題】血液型や電子メールアドレスなどの献血希望者情報を、献血希望者がデータベースに登録でき、献血が必要なときに、データベースから必要な条件を満たす献血希望者を抽出して、献血依頼の電子メールを送信することができる献血依頼電子メール送信システムを提供する。【解決手段】献血依頼電子メール送信システムは、電子メールサーバ１と、献血希望者の血液型及び電子メールアドレスを含む献血希望者情報を格納した献血希望者データベース２と、前記献血希望者データベース２に登録された献血希望者の電子メールアドレス情報を読み出し、該献血希望者が所有する携帯電話機７や電子メール送受信用の情報端末６に、献血依頼の電子メールを前記電子メールサーバ１により送信する献血依頼制御手段３と、を具備している。【選択図】　　　図１
2004126643.tif 000002
【特許請求の範囲】
【請求項１】
電子メールサーバと、献血希望者の血液型及び電子メールアドレスを含む献血希望者情報を格納した献血希望者データベースと、前記献血希望者データベースに登録された献血希望者の電子メールアドレス情報を読み出し、該献血希望者が所有する携帯電話機や電子メール送受信用の情報端末に、献血依頼の電子メールを前記電子メールサーバにより送信するための献血依頼制御手段と、を具備することを特徴とする献血依頼電子メール送信システム。
【請求項２】
前記献血依頼制御手段は、献血希望者が携帯電話機や電子メール送受信用の情報端末から送信する献血希望者情報を受信し、前記献血希望者データベースに登録することを特徴とする請求項１に記載の献血依頼電子メール送信システム。
【請求項３】
前記献血依頼制御手段は、遠隔に配置された複数の献血希望者データベースに接続可能であることを特徴とする請求項１または２に記載の献血依頼電子メール送信システム。
【請求項４】
前記献血依頼制御手段は、前記献血希望者データベースに登録された献血希望者から、指定した血液型を有する登録者だけを抽出して、該登録者が所有する携帯電話機や電子メール送受信用の情報端末に、献血依頼の電子メールを送信することを特徴とする請求項１乃至３のいずれかに記載の献血依頼電子メール送信システム。
【請求項５】
前記献血依頼制御手段は、献血希望者が献血を行った場合、当該献血者に係わる献血日時並びに血液検査結果を含む献血結果情報を、前記献血希望者データベースに登録すると共に、当該献血者が所有する携帯電話機や電子メール送受信用の情報端末に、前記献血結果情報の電子メールを送信することを特徴とする請求項１乃至４のいずれかに記載の献血依頼電子メール送信システム。
【請求項６】
前記献血依頼制御手段は、前記献血希望者データベースから抽出した登録者について、前記献血結果情報や前記献血希望者の居住地情報に基づいて献血可否の判定を行い、献血可能であると判定された登録者だけをさらに抽出して、該登録者が所有する携帯電話機や電子メール送受信用の情報端末に、献血依頼の電子メールを送信することを特徴とする請求項５に記載の献血依頼電子メール送信システム。
【発明の詳細な説明】
【０００１】
【発明の属する技術分野】
本発明は、献血を依頼する電子メールを送信するための献血依頼電子メール送信システムに関する。
【０００２】
【従来の技術】
従来、献血は、献血車または献血ルームの周辺などで献血者を募る告知を行い、献血希望者を募集していた。
【０００３】
しかしながら、上記の従来例では募集の告知が行われる場所が一部に限定されているため、献血希望者の獲得が間に合わず、必要な血液量に対して献血量が不足する事態が頻繁に発生し、各医療機関は、輸血に必要な血液型の血液を、必要な量に応じてタイムリーに入手することが困難になっている。輸血は、人命にかかわる事態でもあり、これらの血液不足を解消することは重要な意義がある。
【０００４】
一方で、潜在的な献血希望者は多数存在し、これらの献血希望者に対して即座に献血依頼を行うことができれば、血液不足は解消すると期待される。近年、携帯電話機や電子メールの送受信が可能な携帯情報端末などの急激な普及により、情報を即時に伝達することが容易に可能となっている。なお、データベースに登録されている情報に基づいて電子メールを送信するシステムが知られている（特許文献１及び特許文献２参照）。
【０００５】
【特許文献１】
特開２０００−２９９６９７号公報
【特許文献２】
特開２００１−１５６９１９号公報
【０００６】
【発明が解決しようとする課題】
そこで、本発明は、このような実情に鑑みてなされたものであり、血液型や電子メールアドレスなどの献血希望者情報を、献血希望者がデータベースに登録でき、献血が必要なときに、データベースから必要な条件を満たす献血希望者を抽出して、献血依頼の電子メールを送信することができる献血依頼電子メール送信システムを提供することを目的とする。
【０００７】
【課題を解決するための手段】
請求項１に記載の献血依頼電子メール送信システムは、電子メールサーバと、献血希望者の血液型及び電子メールアドレスを含む献血希望者情報を格納した献血希望者データベースと、前記献血希望者データベースに登録された献血希望者の電子メールアドレス情報を読み出し、該献血希望者が所有する携帯電話機や電子メール送受信用の情報端末に、献血依頼の電子メールを前記電子メールサーバにより送信するための献血依頼制御手段と、を具備することを特徴とする。
【０００８】
この構成によれば、献血希望者データベースに登録された複数の献血希望者に対し、必要に応じて献血依頼の電子メールを送信することができる。
【０００９】
請求項２に記載の献血依頼電子メール送信システムは、請求項１に記載の献血依頼電子メール送信システムにおいて、前記献血依頼制御手段は、献血希望者が携帯電話機や電子メール送受信用の情報端末から送信する献血希望者情報を受信し、前記献血希望者データベースに登録することを特徴とする。
【００１０】
この構成によれば、献血希望者が、献血希望者情報を送信することにより、献血希望者データベースに登録することができる。
【００１１】
請求項３に記載の献血依頼電子メール送信システムは、請求項１または２に記載の献血依頼電子メール送信システムにおいて、前記献血依頼制御手段は、遠隔に配置された複数の献血希望者データベースに接続可能であることを特徴とする。
【００１２】
この構成によれば、遠隔に配置された他のデータベースを利用して、他のデータベースに登録された献血希望者に対し、必要に応じて献血依頼の電子メールを送信することができる。
【００１３】
請求項４に記載の献血依頼電子メール送信システムは、請求項１乃至３のいずれかに記載の献血依頼電子メール送信システムにおいて、前記献血依頼制御手段は、前記献血希望者データベースに登録された献血希望者から、指定した血液型を有する登録者だけを抽出して、該登録者が所有する携帯電話機や電子メール送受信用の情報端末に、献血依頼の電子メールを送信することを特徴とする。
【００１４】
この構成によれば、献血が必要な血液型を有する登録者に絞って献血依頼の電子メールを送信することができる。
【００１５】
請求項５に記載の献血依頼電子メール送信システムは、請求項１乃至４のいずれかに記載の献血依頼電子メール送信システムにおいて、前記献血依頼制御手段は、献血希望者が献血を行った場合、当該献血者に係わる献血日時並びに血液検査結果を含む献血結果情報を、前記献血希望者データベースに登録すると共に、当該献血者が所有する携帯電話機や電子メール送受信用の情報端末に、前記献血結果情報の電子メールを送信することを特徴とする。
【００１６】
この構成によれば、データベースから登録者を抽出するときの抽出条件として献血結果情報が活用でき、また、献血者は血液検査の結果情報を取得できる。
【００１７】
請求項６に記載の献血依頼電子メール送信システムは、請求項５に記載の献血依頼電子メール送信システムにおいて、前記献血依頼制御手段は、前記献血希望者データベースから抽出した登録者について、前記献血結果情報や前記献血希望者の居住地情報に基づいて献血可否の判定を行い、献血可能であると判定された登録者だけをさらに抽出して、該登録者が所有する携帯電話機や電子メール送受信用の情報端末に、献血依頼の電子メールを送信することを特徴とする。
【００１８】
この構成によれば、詳細な抽出条件により抽出された登録者だけに絞って献血依頼の電子メールを送信することができる。
【００１９】
【発明の実施の形態】
以下、本発明に係わる献血依頼電子メール送信システムの好ましい実施の形態について図面を用いて詳細に説明する。
【００２０】
（実施の形態１）
図１は、本発明の実施の形態１における献血依頼電子メール送信システムの概略構成を示すブロック図である。本献血依頼電子メール送信システムは、病院や赤十字等の医療機関内に設置した電子メールサーバ１、献血希望者データベース２、及び献血依頼制御手段を有するコンピュータ端末３で構成される。
【００２１】
電子メールサーバ１は、電子メールの送受信を制御するための装置で、接続するインターネット網４及び携帯電話網５を介して、献血希望者に献血依頼の電子メールが送信される。また、献血希望者データベース２は、献血希望者の献血希望者情報を格納するための装置で、Ａ、Ｂ、Ｏ、ＡＢやＲｈ＋、Ｒｈ−などさまざまな血液型を持つ人の氏名や電子メールアドレスなどが登録されている。献血希望者データベース２は、医療機関内のＬＡＮ（Ｌｏｃａｌ　Ａｒｅａ　Ｎｅｔｗｏｒｋ）により、電子メールサーバ１及びコンピュータ端末３と接続している。コンピュータ端末３は、献血希望者データベース２にアクセスし、所定の条件を満たす登録者を抽出したり、抽出された複数の登録者へ電子メールを送信する操作を実行したりするための端末であり、献血依頼制御手段としての役割を担う。さらに、献血希望者データベース２への献血希望者の登録や、献血が行われた際の当該献血者に係わる情報（献血日時並びに血液検査結果）などの入力も、このコンピュータ端末３で行うことができる。
【００２２】
電子メール送受信用端末６は、インターネット網４を介して電子メールの送受信を行い、携帯電話機７は、携帯電話網５を介して電子メールの送受信を行う。また、いずれもブラウザ機能でインターネット網４上のホームページサイトにアクセス可能である。
【００２３】
なお、医療機関と外部のインターネット網４及び携帯電話網５との接続部にはファイアーウォール等の必要な装備を行い、外部からの不用意なアクセスを遮断して、セキュリティの高いシステムにしておくことが好ましい。
【００２４】
また、電子メールサーバ１は必ずしも医療機関内に設置する必要はなく、任意のＩＳＰ（インターネットサービスプロバイダ）が提供するものを利用してもかまわない。さらに、献血希望者データベース２も必ずしも医療機関内に設置する必要はなく、任意のＡＳＰ（アプリケーションサービスプロバイダ）などが提供するものを利用してもかまわない。
【００２５】
次に、本発明の実施の形態１における献血依頼電子メール送信システムの動作について図２から図５のフローチャートを用いて説明する。
【００２６】
図２は、本発明の実施の形態１における献血依頼電子メール送信システムの、献血希望者登録処理の手順を示すフローチャートである。はじめに、献血希望者は、電子メール送受信用端末６のウェブブラウザや携帯電話機７のブラウザ機能等を用いて医療機関の登録用ホームページなどへアクセスし（ステップＳ１０１）、氏名、年齢、体重、血液型、郵便番号など、必要な情報を入力する（ステップＳ１０２）。最後に、献血依頼の電子メールを受信するための電子メールアドレスを入力する（ステップＳ１０３）。入力が終了したらブラウザのボタンを押下するなどの方法により、入力した献血希望者情報が医療機関のメールサーバ１へ送信される（ステップＳ１０４）。
【００２７】
コンピュータ端末３の献血依頼制御手段（図示せず）は、電子メールサーバ１が献血希望者情報を受信したことを検知すると（ステップＳ１０５）、献血希望者情報を所定のデータ形式で、献血希望者データベース２に保存、登録する（ステップＳ１０６）。登録終了後、電子メールサーバ１は登録が完了したことを伝える旨の電子メールを自動生成し（ステップＳ１０７）、電子メールサーバ１から献血希望者情報の送信元へ送信される（ステップＳ１０８）。この電子メールは、予め所定のテンプレートを作成して電子メールサーバ１に格納しておき、宛名及び電子メールアドレスの部分だけに当該送信者用の情報を記述して送信すればよい。献血希望者情報の送信者は登録完了の電子メールの受信により、献血希望者データベース２に登録されたことを認識する（ステップＳ１０９）。
【００２８】
以上、一連の献血希望者登録処理における処理手順は、プログラムの形式でコンピュータ端末３に格納されている。
【００２９】
次に、図３は、本発明の実施の形態１における献血依頼電子メール送信システムの、献血依頼電子メール送信処理の手順を示すフローチャートである。なお、前述の図２のフローチャートに示す手順により、複数の献血希望者が、既に献血希望者データベース２に登録されているものとする。はじめに、本システムを使用して献血希望者に対して献血の依頼を行う操作者が、コンピュータ端末３から、献血が必要な血液の血液型を入力する（ステップＳ２０１）。次に、コンピュータ端末３の献血依頼制御手段は、血液型の入力を検知して、入力した血液型と一致する血液型を有する登録者を献血希望者データベース２から自動的に抽出する（ステップＳ２０２）。
【００３０】
次に、献血依頼制御手段は、予め作成して電子メールサーバ１に格納しておいた献血依頼用の電子メールのテンプレートに、抽出した登録者の氏名及び電子メールアドレスを記述して、抽出した登録者宛ての複数の電子メールを生成する（ステップＳ２０３）。次に、生成された複数の献血依頼用の電子メールが、電子メールサーバ１から当該登録者の所有する電子メール送受信用端末６や携帯電話機７に向けて自動送信される（ステップＳ２０４）。電子メールはインターネット網４及び携帯電話網５を介して、目的の電子メール送受信用端末６または携帯電話機７に送信される。当該献血希望者は、電子メール送受信用端末６または携帯電話機７で献血依頼用の電子メールを受信し（ステップＳ２０５）、献血を希望する場合、ただちに献血依頼用の電子メールの送信元である医療機関へ出向き、献血を行うことができる。
【００３１】
なお、検索キーによるデータ抽出の方法は公知の手法を用いてかまわない。また、上記の献血依頼用の電子メールの送信においては、同一内容の電子メールを複数の送信先へ一斉に送信する公知の手法を用いてかまわない。
【００３２】
以上、一連の献血依頼電子メール送信処理における処理手順は、プログラムの形式でコンピュータ端末３に格納されている。
【００３３】
次に、図４は、本発明の実施の形態１における献血依頼電子メール送信システムの、献血結果のデータベース登録処理並びに献血結果通知電子メールの送信処理の手順を示すフローチャートである。はじめに、医療機関で献血が行われると、献血日時及び血液検査結果を含む献血結果情報が、献血希望者データベース２の当該献血者の情報に追加登録される（ステップＳ３０１）。この登録は、コンピュータ端末３から操作者が手動で行ってもよいし、血液検査装置（図示せず）とコンピュータ端末３とを接続して、コンピュータ端末３の献血依頼制御手段が献血結果情報を自動的に取得するように設定してもよい。
【００３４】
次に、電子メールサーバ１で、献血結果情報を記述した当該献血者宛ての電子メールを生成する（ステップＳ３０２）。この電子メールは、予め所定のテンプレートを作成して電子メールサーバ１に格納しておき、献血日時、血液検査結果、宛名及び電子メールアドレスの部分だけに当該献血者用の情報を記述して生成すればよい。生成された献血結果通知電子メールは、電子メールサーバ１から当該献血者の所有する電子メール送受信用端末６や携帯電話機７に向けて自動送信される（ステップＳ３０３）。電子メールはインターネット網４及び携帯電話網５を介して、目的の電子メール送受信用端末６または携帯電話機７に送信される。当該献血者は、電子メール送受信用端末６または携帯電話機７で献血結果を通知する電子メールを受信し（ステップＳ３０４）、血液検査の結果を知ることができる。
【００３５】
以上、一連の献血結果のデータベース登録処理並びに献血結果通知電子メールの送信処理における処理手順は、プログラムの形式でコンピュータ端末３に格納されている。
【００３６】
次に、図５は、本発明の実施の形態１における献血依頼電子メール送信システムの、献血可能者の再抽出処理の手順を示すフローチャートである。なお、ここでは、前述の図３のフローチャートに示す手順に従って、献血が必要な血液の血液型を有する登録者が、既に献血希望者データベース２から抽出されているものとする。はじめに、本システムを使用して献血希望者に対して献血の依頼を行う操作者が、コンピュータ端末３から、再抽出条件を選択する（ステップＳ４０１）。
【００３７】
再抽出条件（検索キー）としては、前回の献血日時から一定期間以上が経過しているかどうか、血液検査結果において、献血に不適切な結果が記録されていないかどうか、献血希望者の居住地が、献血を要求する医療機関の所在地から所定の距離以内にあるかどうか、などがあり、それらを単独または組み合わせて設定することが可能である。また、それ以外の再抽出条件を状況に応じて設定してもかまわない。例えば、前回の献血から８週間以上が経過していて、血液検査結果に異常がなく、当該医療機関から２ｋｍ圏内に居住する献血希望者を抽出することが可能である。
【００３８】
次に、コンピュータ端末３の献血依頼制御手段は、再抽出条件の入力を検知して、入力した再抽出条件に合致する登録者を献血希望者データベース２から自動的に抽出する（ステップＳ４０２）。なお、複数の検索キーによるデータ抽出の方法は公知の手法を用いてかまわない。
【００３９】
次に、献血依頼制御手段は、予め作成して電子メールサーバ１に格納しておいた献血依頼用の電子メールのテンプレートに、抽出した登録者の氏名及び電子メールアドレスを記述して、抽出した登録者宛ての複数の電子メールを生成する（ステップＳ４０３）。次に、生成された複数の献血依頼用の電子メールが、電子メールサーバ１から当該登録者の所有する電子メール送受信用端末６や携帯電話機７に向けて自動送信される（ステップＳ４０４）。電子メールはインターネット網４及び携帯電話網５を介して、目的の電子メール送受信用端末６または携帯電話機７に送信される。当該献血希望者は、電子メール送受信用端末６または携帯電話機７で献血依頼用の電子メールを受信し（ステップＳ４０５）、献血を希望する場合、ただちに献血依頼用の電子メールの送信元である医療機関へ出向き、献血を行うことができる。
【００４０】
なお、上記の献血依頼用の電子メールの送信においては、同一内容の電子メールを複数の送信先へ一斉に送信する公知の手法を用いてかまわない。
【００４１】
以上、一連の献血可能者の再抽出処理における処理手順は、プログラムの形式でコンピュータ端末３に格納されている。
【００４２】
なお、前述の通り、献血を要求する医療機関の所在地付近にいる献血希望者を抽出するためには、献血希望者データベース２の献血希望者情報に、住所情報を含む必要がある。その際、携帯電話機などの携帯機器からも入力が比較的簡単で、住所との関連付けが可能な郵便番号や電話番号を登録するように設定することが好ましい。また、携帯電話機や携帯情報端末などの携帯機器の所有者は、居住地以外に移動している場合があるが、携帯機器に付属のＧＰＳ（Ｇｌｏｂａｌ　Ｐｏｓｉｔｉｏｎｉｎｇ　Ｓｙｓｔｅｍ）機能を利用して、献血希望者データベース２に位置情報を逐次、登録、更新できるようにしたり、献血依頼用の電子メールを受信した献血希望者が、自己の現在位置情報と献血を要求している医療機関の所在地情報とから、医療機関への道順を把握できるようにしたりしてもかまわない。
【００４３】
（実施の形態２）
次に、図６は、本発明の実施の形態２における献血依頼電子メール送信システムの概略構成を示すブロック図である。本献血依頼電子メール送信システムは、前述の図１のブロック図と比較すると、電子メールサーバ、献血希望者データベース、及びコンピュータ端末を備えた医療機関がインターネット網４上に複数存在して構成される点が異なっている。医療機関Ａは、電子メールサーバ１ａ、献血希望者データベース２ａ、及びコンピュータ端末３ａを備え、医療機関Ｂは、電子メールサーバ１ｂ、献血希望者データベース２ｂ、及びコンピュータ端末３ｂを備えている。
【００４４】
システムを構成する各部の機能及び動作については、実施の形態１における各部の機能及び動作と同等であるので、説明を省略する。
【００４５】
次に、本発明の実施の形態２における献血依頼電子メール送信システムの、複数の医療機関間での接続の動作について説明する。図７は、本発明の実施の形態２における献血依頼電子メール送信システムの、複数の医療機関間で行われる接続処理の手順を示すフローチャートである。医療機関Ａのコンピュータ端末３ａが、医療機関Ｂのサーバに対して所定の接続要求を行うと（ステップＳ５０１）、接続要求を受信した医療機関Ｂのサーバは（ステップＳ５０２）所定の認証処理を行い（ステップＳ５０３）、認証が成功すると接続が確立する（ステップＳ５０４）。接続後、コンピュータ端末３ａは、医療機関Ｂの献血希望者データベース２ｂにもアクセスできるようになる。従って、献血依頼用の電子メール送信処理や献血可能者の再抽出処理において行われる登録者の検索や抽出が、献血希望者データベース２ａに対してと同様に、献血希望者データベース２ｂに対しても実行される。
【００４６】
同様に、医療機関Ｂから医療機関Ａへ接続要求を行う場合も同様の処理が行われる。自らの献血希望者データベースに加え、他の医療機関の献血希望者データベースを利用すると、検索や抽出の対象となる登録者が増え、結果として献血が可能な献血希望者をより多く探すことができる。
【００４７】
なお、本発明の実施の形態２における献血依頼電子メール送信システムの、献血依頼電子メール送信処理や献血可能者の再抽出処理などの動作については、実施の形態１における献血依頼電子メール送信システムの動作と同等であるので、説明を省略する。また、図６では医療機関数を２箇所として説明したが、これに限定されず、さらに多数の献血希望者データベースを有する医療機関等がインターネット網４上に接続できることは言うまでもない。
【００４８】
（実施の形態３）
次に、図８は、本発明の実施の形態３における献血依頼電子メール送信システムの概略構成を示すブロック図である。本献血依頼電子メール送信システムは、前述の図１のブロック図と比較すると、各医療機関に電子メールサーバ及び献血希望者データベースを設置せず、インターネット網４に接続するデータセンターに、各医療機関が共用できる電子メールサーバ及び献血希望者データベースを備える点が異なっている。医療機関Ｃはコンピュータ端末３ｃを、医療機関Ｄはコンピュータ端末３ｄを備え、データセンターは共用の電子メールサーバ１ｅ、献血希望者データベース２ｅ、及びコンピュータ端末３ｅを備えている。
【００４９】
システムを構成する各部の機能及び動作については、実施の形態１における各部の機能及び動作と同等であるので、説明を省略する。
【００５０】
次に、本発明の実施の形態３における献血依頼電子メール送信システムの、医療機関とデータセンター間の接続の動作について説明する。図９は、本発明の実施の形態３における献血依頼電子メール送信システムの、医療機関とデータセンター間で行われる接続処理の手順を示すフローチャートである。医療機関Ｃのコンピュータ端末３ｃが、データセンターのサーバに対して所定の接続要求を行うと（ステップＳ６０１）、接続要求を受信したデータセンターのサーバは（ステップＳ６０２）所定の認証処理を行い（ステップＳ６０３）、認証が成功すると接続が確立する（ステップＳ６０４）。接続後、コンピュータ端末３ｃは、データセンターの献血希望者データベース２ｅにアクセスできるようになる。従って、献血依頼用の電子メール送信処理や献血可能者の再抽出処理において行われる登録者の検索や抽出が、遠隔にあるデータセンターの献血希望者データベース２ｅに対して実行される。
【００５１】
同様に、医療機関Ｄからデータセンターへ接続要求を行う場合も同様の処理が行われる。複数の医療機関で電子メールサーバ及び献血希望者データベースを共用することにより、システムを低コストで構築することが可能となる。また、システム及びデータの保守管理が一元的に効率的に行える。
【００５２】
なお、本発明の実施の形態３における献血依頼電子メール送信システムの、献血依頼電子メール送信処理や献血可能者の再抽出処理などの動作については、実施の形態１における献血依頼電子メール送信システムの動作と同等であるので、説明を省略する。また、図９では医療機関数を２箇所として説明したが、これに限定されず、さらに多数の医療機関等がインターネット網４上に接続できることは言うまでもない。
【００５３】
なお、本発明の献血依頼電子メール送信システムで送受信される電子メールのうち、献血希望者情報の登録や血液検査結果の通知のために送信される電子メールなどは、プライベートな情報を含むため、所定の暗号化処理や認証処理等を施して、セキュリティの高いデータ転送とすることが好ましい。
【００５４】
【発明の効果】
以上のように、本発明の献血依頼電子メール送信システムによれば、血液型や電子メールアドレスなどの献血希望者情報を、献血希望者がデータベースに登録でき、献血が必要なときに、データベースから必要な条件を満たす献血希望者を抽出して、献血依頼の電子メールを送信することができる。
【図面の簡単な説明】
【図１】本発明の実施の形態１における献血依頼電子メール送信システムの概略構成を示すブロック図である。
【図２】本発明の実施の形態１における献血依頼電子メール送信システムの、献血希望者登録処理の手順を示すフローチャートである。
【図３】本発明の実施の形態１における献血依頼電子メール送信システムの、献血依頼電子メール送信処理の手順を示すフローチャートである。
【図４】本発明の実施の形態１における献血依頼電子メール送信システムの、献血結果のデータベース登録処理並びに献血結果通知電子メールの送信処理の手順を示すフローチャートである。
【図５】本発明の実施の形態１における献血依頼電子メール送信システムの、献血可能者の再抽出処理の手順を示すフローチャートである。
【図６】本発明の実施の形態２における献血依頼電子メール送信システムの概略構成を示すブロック図である。
【図７】本発明の実施の形態２における献血依頼電子メール送信システムの、複数の医療機関間で行われる接続処理の手順を示すフローチャートである。
【図８】本発明の実施の形態３における献血依頼電子メール送信システムの概略構成を示すブロック図である。
【図９】本発明の実施の形態３における献血依頼電子メール送信システムの、医療機関とデータセンター間で行われる接続処理の手順を示すフローチャートである。
【符号の説明】
１、１ａ、１ｂ、１ｅ　電子メールサーバ
２、２ａ、２ｂ、２ｅ　献血希望者データベース
３、３ａ、３ｂ、３ｃ、３ｄ、３ｅ　コンピュータ端末
４　インターネット網
５　携帯電話網
６　電子メール送受信用端末
７　携帯電話機
【図１】
2004126643.tif 000003
【図２】
2004126643.tif 000004
【図３】
2004126643.tif 000005
【図４】
2004126643.tif 000006
【図５】
2004126643.tif 000007
【図６】
2004126643.tif 000008
【図７】
2004126643.tif 000009
【図８】
2004126643.tif 000010
【図９】
2004126643.tif 000011